(57)【特許請求の範囲】
【請求項１】
（ａ）過酸化水素又は水中で過酸化水素を生成する化合物、（ｂ）漂白活性化剤０．１〜１０質量％、（ｃ）非イオン界面活性剤５０〜８０質量％、（ｄ）水、（ｅ）ホウ酸、ホウ砂、及びホウ酸塩から選ばれる少なくとも１種の化合物、（ｆ）ポリオール化合物、並びに（ｇ）プロピレングリコールモノメチルエーテル、ジエチレングリコールモノブチルエーテル及びポリオキシエチレン（平均付加モル数１〜４）グリコールモノフェニルエーテルから選ばれる溶剤０．０１〜４０質量％を含有し、２０℃におけるｐＨが４〜７である、液体洗浄剤。
【請求項２】
（ｆ）成分／（ｅ）成分のモル比が１．５〜４である請求項１記載の液体洗浄剤。
【請求項３】
前記非イオン界面活性剤がオキシエチレン基及びオキシプロピレン基を有するポリオキシアルキレンアルキルエーテル型非イオン界面活性剤を含む請求項１又は２に記載の液体洗浄剤。
【請求項４】
１０００容積倍の水により希釈した希釈液の２０℃におけるｐＨが８．５以上１０．５未満である、請求項１〜３のいずれか１項に記載の液体洗浄剤。
【請求項５】
請求項１〜４記載の液体洗浄剤を５０〜１５００容積倍の水で希釈し、２０℃〜６０℃に加温して漂白、洗浄、除菌及び消臭の、少なくともいずれかの効果を得るために用いる衣類の洗浄方法。
【請求項６】
（ｃ）成分、（ｄ）成分、（ｅ）成分、（ｆ）成分及び（ｇ）成分を混合してなる、ｐＨが３〜７の母液を調製する工程、並びに該母液に（ａ）成分及び（ｂ）成分を同時又は別個に添加する工程を包含する、請求項１〜４いずれか１項に記載の液体洗浄剤の製造方法。
【請求項７】
（ｂ）成分を母液に添加する際に、（ｃ）成分の一部を（ｂ）成分と予め混合して添加する、請求項６記載の液体洗浄剤の製造方法。
【発明の詳細な説明】
【技術分野】
【０００１】
本発明は液体洗浄剤及びこれを用いた衣類の洗浄方法、並びに該液体洗浄剤の製造方法に関する。
【背景技術】
【０００２】
過酸化水素を含有する液体酸素系漂白剤は、色柄物にも使用でき、汚れに直接塗布できるなどの点から消費者から高い支持を得ている商品である。しかし、液体酸素系漂白剤は、塩素系漂白剤に比べると酸化力が低いことから、漂白力が弱いという課題があった。近年、酸素系漂白剤の漂白力を高める目的で、過酸化水素よりも酸化力の高い有機過酸前駆体タイプの漂白活性化剤を更に含む酸素系漂白剤が、衣料用分野などで利用されている。この有機過酸前駆体タイプの漂白活性化剤は、弱アルカリ性下の洗濯浴中で過酸化水素と反応することにより有機過酸を生成する。この生成した有機過酸の酸化力により漂白効果が得られる。一般的に、漂白活性化剤は活性なエステル基などを有するため、製品形態での貯蔵安定性に留意する必要がある。粉末の酸素系漂白剤は、過酸化水素源となる過炭酸ナトリウムと漂白活性化剤の造粒物を別の粒として隔離することにより安定化している。これに対して、液体の酸素系漂白剤は、液体中で過酸化水素と漂白活性化剤を隔離することができないので、過酸化水素による漂白活性化剤の加水分解を抑制することが難しく、漂白活性化剤を、安定配合することは非常に困難であった。
【０００３】
さらに、過酸化水素及び漂白活性化剤は、酸性よりも中性からアルカリ性においてより高い漂白効果を発揮するが、逆に中性からアルカリ性では過酸化水素及び漂白活性化剤の貯蔵安定性が低い。よって、過酸化水素及び漂白活性化剤を含む液体酸素系漂白剤を、より高いｐＨで安定化させ、優れた漂白性能を得る技術が望まれていた。これら課題を満足させる１つの方法として、漂白基剤を含む低ｐＨの組成物とアルカリ剤を含む高ｐＨの組成物との２剤から別個に構成される２剤型の形態としておき、使用時に２剤を混合して漂白剤組成物を形成する態様が考えられるが、容器の簡素化、使い易さ等の点からは１剤型（１液型）の形態がより望ましい。
【０００４】
特許文献１には、漂白活性化剤と相互作用性の高い界面活性剤を併用し混合ミセルを形成させることで、安定配合した液体漂白剤組成物が開示されている。
【０００５】
特許文献２には、ホウ素化合物とポリオール化合物を併用したｐＨジャンプ技術（希釈した場合にｐＨが中性（ｐＨ７）を超えて上昇する系を用いた技術）を応用し、長期間においても保存安定性に優れ、単独使用でも漂白性能を発揮する液体漂白剤組成物が開示されている。
【特許文献１】特許２６６９５９０号公報
【特許文献２】特開平１０−７２５９５号公報
【発明の開示】
【発明が解決しようとする課題】
【０００６】
しかしながら、これら公報には、漂白活性化剤が酸性領域よりも弱酸性から中性領域において安定性が著しく低下するというような、漂白活性化剤安定性に対するｐＨの影響については言及されておらず、現行技術では困難であったｐＨ３以上での漂白活性化剤の安定化方法について何ら示唆するものではない。
【０００７】
従って本発明の課題は、弱酸性領域においても過酸化水素及び漂白活性化剤の安定性に関して問題がなく、水による希釈後に満足できる領域までｐＨを上昇させ得、漂白活性化剤から有機過酸を十分に生成し得る、液体洗浄剤を提供することにある。
【課題を解決するための手段】
【０００８】
本発明は、（ａ）過酸化水素又は水中で過酸化水素を生成する化合物〔以下、（ａ）成分という〕、（ｂ）漂白活性化剤〔以下、（ｂ）成分という〕０．１〜１０質量％、（ｃ）非イオン界面活性剤〔以下、（ｃ）成分という〕４５〜８０質量％、（ｄ）水〔以下、（ｄ）成分という〕、（ｅ）ホウ酸、ホウ砂、及びホウ酸塩から選ばれる少なくとも１種の化合物〔以下、（ｅ）成分という〕、及び（ｆ）ポリオール化合物〔以下、（ｆ）成分という〕を含有し、２０℃におけるｐＨが４〜７である、液体洗浄剤に関する。
【０００９】
また、本発明は、上記本発明の液体洗浄剤を５０〜１５００容積倍の水で希釈し、２０℃〜６０℃に加温して漂白、洗浄、除菌及び消臭の、少なくともいずれかの効果を得るために用いる衣類の洗浄方法に関する。
【００１０】
また、本発明は、（ｃ）成分、（ｄ）成分、（ｅ）成分及び（ｆ）成分を混合してなる、ｐＨが３〜７の母液を調製する工程、並びに該母液に（ａ）成分及び（ｂ）成分を同時又は別個に添加する工程を包含する、上記本発明の液体洗浄剤の製造方法に関する。
【００１１】
本発明においては、かかる構成を有することで、弱酸性領域においても過酸化水素及び漂白活性化剤の安定性に問題ないという優れた効果が発現される。すなわち、本発明の液体洗浄剤は、驚くべきことに、非イオン界面活性剤を特異的な含有量で配合することにより、弱酸性領域（ｐＨ約４〜約７）においても過酸化水素及び漂白活性化剤の安定性を維持することが可能となる。更に、本発明の液体洗浄剤は、水希釈前のｐＨを弱酸性領域に設定し得ることから、水希釈後のｐＨを高い領域（ｐＨ約８以上）まで上昇させ得る結果、漂白活性化剤から有機過酸を十分に生成させることが可能となる。
【発明の効果】
【００１２】
本発明の液体洗浄剤は、弱酸性領域においても過酸化水素及び漂白活性化剤の安定性に関して問題がなく、水による希釈後に満足できる領域までｐＨを上昇させ得る結果、漂白活性化剤から有機過酸を十分に生成し得るので、優れた漂白性能を有する液体洗浄剤を得ることができるという効果が奏される。
【発明を実施するための最良の形態】
【００１３】
［（ａ）成分］
本発明の液体洗浄剤は、（ａ）成分として過酸化水素又は水中で過酸化水素を生成する化合物を含有する。水中で過酸化水素を生成する化合物としては、過炭酸塩、過ホウ酸塩等が挙げられる。（ａ）成分の過酸化水素としての含有量は、液体洗浄剤中に好ましくは０．１〜６質量％、より好ましくは０．５〜５質量％、更に好ましくは１〜４．５質量％、より更に好ましくは１〜３質量％である。このような範囲において優れた漂白効果を得ることができる。
【００１４】
［（ｂ）成分］
本発明の液体洗浄剤は、（ｂ）成分として漂白活性化剤を含有する。
本明細書中において、漂白活性化剤とは、無機過酸化物と反応することで有機過酸を生成する化合物を意味する。本発明の漂白活性化剤としては、以下の一般式で表されるエステル結合を有する化合物が挙げられる。
Ｒ−Ｃ（＝Ｏ）−ＬＧ        （１）
式中、Ｒは、炭素数約６〜約１３の直鎖又は分岐鎖のアルキル基、アルケニル基、アリール基又はアルキル基置換アリール基であり、好ましくは炭素数約６〜約１３の分岐鎖のアルキル基である。ＬＧは脱離基であり、具体的には以下の基が挙げられる。
【００１５】
【化１】
0004732166.tif 000002
【００１６】
−Ｏ−Ｒ1−（Ｏ）p−ＳＯ3-及び−Ｏ−Ｒ1−（Ｏ）p−ＳＯ3Ｍ（ここでＲ1はアルキレン基、ｐは０又は１、Ｍは水素原子、アルカリ金属、又はアルカリ土類金属を表す。）が挙げられる。なお、Ｒ1のアルキレン基は、炭素数１〜５が好ましい。
【００１７】
本発明の好ましい（ｂ）成分として、カルボニル炭素に対してα位又はβ位に側鎖を有する総炭素数６〜１３のアルカノイル基を有する漂白活性化剤を使用し得る。このような漂白活性化剤は、アルカノイル基が直鎖である漂白活性化剤と比較して、弱酸性領域における貯蔵安定性の向上を確保できることから、より高い漂白効果及び高い洗浄効果を液体洗浄剤に付与することが可能となる。
【００１８】
具体的に好ましい化合物としては下記一般式（２）の化合物を挙げることができる。
【化２】
0004732166.tif 000003
【００１９】
〔式中、Ｒ2a−ＣＯは、カルボニル炭素に対してα位及びβ位の少なくとも一方に側鎖を有する総炭素数６〜１３、好ましくは７〜１３のアルカノイル基であり、Ｒ2a−は下記のα位分岐型又はβ位分岐型が好適である。
【００２０】
【化３】
0004732166.tif 000004
【００２１】
ここで、Ｒ2bは炭素数４〜１０のアルキル基であり、Ｒ2cはメチル基、エチル基、プロピル基及びブチル基から選ばれる基である。Ｘは-ＣＯＯＭ、及び-ＳＯ3Ｍから選ばれる基であり、Ｍは水素原子、アルカリ金属、又はアルカリ土類金属である。〕
【００２２】
一つの実施形態として、一般式（２）においてα位分岐型の化合物は、炭素数３〜６の脂肪アルデヒド化合物をアルドール縮合させた後、アルデヒド基を酸化させ、次いで得られたα分岐型脂肪酸（又はこれらの酸ハロゲン化物）と、ｐ-ヒドロキシ安息香酸、サリチル酸、又はｐ-ヒドロキシベンゼンスルホン酸塩とをエステル化反応させることで得ることができる。α位分岐型脂肪酸の具体的例としては、２-メチルペンタン酸、２-エチルヘキサン酸、２-プロピルヘプタン酸、２-メチルヘキサン酸、２-エチルペンタン酸、２-エチルヘプタン酸、３-プロピルヘキサン酸、２-ブチルオクタン酸などを挙げることができる。
【００２３】
一つの実施形態において、一般式（２）においてβ位分岐型の化合物は、１-アルケンをヒドロホルミル化することにより得られたアルデヒドを酸化して、次いで得られたβ分岐型脂肪酸（又はこれらの酸ハロゲン化物）と、ｐ-ヒドロキシ安息香酸、サリチル酸、又はｐ-ヒドロキシベンゼンスルホン酸塩とをエステル化反応させることで得ることができる。
【００２４】
直鎖１-アルケンを原料とした場合、ヒドロホルミル化工程を経て得られる脂肪酸はβ位にメチル基が分岐したβ分岐型脂肪酸及び直鎖状の脂肪酸の混合物が得られるが、本発明ではβ分岐型脂肪酸／直鎖脂肪酸が２０／８０〜８０／２０の質量比の脂肪酸を用いることが好適である。また、分岐鎖１-アルケンとしてイソブテンの２量体及び３量体を用いることが安定性の点から好ましく、イソブテンの２量体、３量体それぞれをヒドロホルミル化して得られるβ分岐型脂肪酸である、３，５，５-トリメチルヘキサン酸、３，６，８，８-テトラメチルノナン酸などが好適である。
【００２５】
本発明の（ｂ）成分は、上記α分岐型脂肪酸、β分岐型脂肪酸又はこれら脂肪酸の酸無水物もしくは酸ハロゲン化物と、ｐ-ヒドロキシ安息香酸、サリチル酸、又はｐ-ヒドロキシベンゼンスルホン酸塩とのエステル化反応で得ることができる。脂肪酸の酸無水物又は酸ハロゲン化物を用いてｐ-ヒドロキシ安息香酸又はサリチル酸とのエステル化反応を行う場合には、ｐ-ヒドロキシ安息香酸又はサリチル酸がさらに縮合した一般式（３）で示される多付加体が生成し得る。
【００２６】
【化４】
0004732166.tif 000005
【００２７】
〔式中、Ｒ3aは前述Ｒ2aと同一の意味であり、Ｍは水素原子、アルカリ金属、又はアルカリ土類金属であり、ｎは２〜５の数を示す〕
【００２８】
一般式（３）の化合物は、漂白浴中又は洗浄浴中で過酸化水素と反応してＲ3a−ＣＯＯＯＨで示される有機過酸を生成するばかりか、
【００２９】
【化５】
0004732166.tif 000006
【００３０】
で示されるヒドロキシベンゼン過カルボン酸も生成し、非常に高い漂白効果を得ることができるため液体洗浄剤中に含有することが好適である。さらに、一般式（３）の化合物の量は、一般式（２）の化合物に対して０．１〜５０質量％、好ましくは０．１〜３０質量％、より好ましくは０．１〜１５質量％であることが好適である。
【００３１】
本発明の（ｂ）成分としては一般式（２）においてＲ2a−ＣＯが２-エチルヘキサノイル基、３，５，５-トリメチルヘキサノイル基、２-エチルペンタンノイル基、又は３，６，８，８-テトラメチルノナノイル基が好ましく、特に３，５，５-トリメチルヘキサノイル基が最も好適である。また、Ｘが-ＣＯＯＨである化合物が好適であり、ｐ位に-ＣＯＯＨを有する化合物が最も好ましい。
【００３２】
本発明の液体洗浄剤中における（ｂ）成分の含有量は、０．１〜１０質量％、好ましくは０．２〜５質量％、より好ましくは０．２〜２質量％である。
【００３３】
［（ｃ）成分］
本発明の液体洗浄剤は、（ｃ）成分として非イオン界面活性剤を含有する。非イオン界面活性剤としては下記一般式（４）の化合物が好ましい。
Ｒ4a−Ｏ[(ＥＯ)a/(ＰＯ)b]−Ｈ        （４）
〔式中、Ｒ4aは炭素数１０〜１８、好ましくは１２〜１４の、アルキル基又はアルケニル基を示す。ａは数平均付加モル数０〜２０の数、ｂは数平均付加モル数０〜２０の数を示し、ａ及びｂの両者が０の場合を除く。好ましくはａの数平均付加モル数は６〜１５、より好ましくは７〜１２が良好であり、ｂの数平均付加モル数は０〜１０、より好ましくは１〜５、特に好ましくは１〜３の数である。〕
【００３４】
なお、一般式（４）においては、ＥＯとＰＯとはランダム共重合体又はブロック共重合体のいずれの形態で配列されていてもよい。
【００３５】
また、本発明の非イオン界面活性剤は、特にオキシエチレン基及びオキシプロピレン基を有するポリオキシアルキレンアルキルエーテル型非イオン性界面活性剤が好ましい。このポリオキシアルキレンアルキルエーテル型非イオン性界面活性剤は、ランダム共重合体又はブロック共重合体のいずれの形態で配列されていてもよく、その中でもブロック共重合体が好ましい。ブロック共重合体の形態としては、下記一般式（５）で表される化合物が特に好ましい。
Ｒ5a−Ｏ(ＥＯ)a(ＰＯ)b(ＥＯ)c−Ｈ        （５）
〔式中、Ｒ5aは炭素数１０〜１８、好ましくは１２〜１４の、アルキル基又はアルケニル基を示す。ａは数平均付加モル数１〜２０の数、ｂは数平均付加モル数１〜２０の数、ｃは数平均付加モル数１〜２０の数を示す。好ましくは、ａの数平均付加モル数は６〜１５、より好ましくは７〜１２が良好であり、ｂの数平均付加モル数は１〜１０、より好ましくは１〜５、特に好ましくは１〜３の数が良好であり、ｃの数平均付加モル数は６〜１５、より好ましくは７〜１２である。〕
【００３６】
（ｃ）成分の液体洗浄剤中の含有量は、漂白活性化剤の安定性向上の観点から、好ましくは４５〜８０質量％、より好ましくは５０〜７５質量％、特に好ましくは５５〜７０質量％が望ましい。
【００３７】
［（ｅ）成分］
本発明の液体洗浄剤は、（ｅ）成分としてホウ酸、ホウ砂及びホウ酸塩から選ばれる少なくとも１種の化合物を含有する。ホウ酸塩としては、ホウ酸ナトリウム、ホウ酸カリウム、ホウ酸アンモニウム、４ホウ酸ナトリウム、４ホウ酸カリウム、４ホウ酸アンモニウム等が挙げられる。
【００３８】
［（ｆ）成分］
本発明の液体洗浄剤は、（ｆ）成分としてポリオール化合物を含有する。本発明において、ポリオール化合物とは、液体洗浄剤中で（ｅ）成分とモノ体又はジ体を形成し得る化合物であり（下記一般式を参照）、隣り合う炭素原子の両方にそれぞれ１つヒドロキシ基を有する部位が１つ以上存在する化合物、及び／又は３個以上のヒドロキシ基を有する化合物が好適である。更に、３個以上のヒドロキシ基を有し、且つ隣り合う炭素原子の両方にそれぞれ１つヒドロキシ基を有する部位が１つ以上存在するような構造を有する化合物も好ましい。（ｆ）成分の具体的例としては下記（１）〜（４）の化合物が好適であり、これらの化合物からなる群より選ばれる少なくとも１種以上を用いることができる。
【００３９】
（１）グリセリン、ジグリセリン、トリグリセリン、アルキル（炭素数１〜１０）ポリグリセリルエーテル（例えば、アルキル（炭素数１〜１０）ジグリセリルエーテル、アルキル（炭素数１〜１０）トリグリセリルエーテル）
（２）ソルビトール、マンニトール、マルチトース、イノシトール、及びフィチン酸から選ばれる糖アルコール類；
（３）グルコース、アピオース、アラビノース、ガラクトース、リキソース、マンノース、ガロース、アルドース、イドース、タロース、キシロース、及びフルクトースから選ばれる還元糖類、及びこれらの誘導体（アルキル（ポリ）グリコシド等）；並びに
（４）デンプン、デキストラン、キサンタンガム、グアガム、カードラン、プルラン、アミロース、及びセルロースから選ばれる多糖類。
【００４０】
本発明では、特に上記（２）の糖アルコール類が好適であり、単独又は複数で用いることができる。特にソルビトールが安定性及び漂白／洗浄効果の点から好適である。
【００４１】
一つの実施形態として、本発明の液体洗浄剤は、（ｅ）成分としてホウ酸、ホウ砂及びホウ酸塩から選ばれる化合物、並びに（ｆ）成分としてポリオール化合物から構成されるｐＨジャンプ系を、特定の組成及び比率で使用し得る。本発明の液体洗浄剤は、このような特定の組成及び比率を更に有することで、優れたｐＨジャンプ効果及び優れた過酸化水素の安定性を発現し得る。
【００４２】
本発明では液体洗浄剤に対して１０００容積倍の水により希釈した場合の希釈液の２０℃におけるｐＨが８．５以上１０．５未満、好ましくは９以上９．５未満になることが漂白／洗浄効果を得る目的から好ましい。
【００４３】
ここで、（ｅ）成分と（ｆ）成分（α，β−ジヒドロキシ化合物）との間には下記の式（６）のような平衡反応が存在する。
【００４４】
【化６】
0004732166.tif 000007
【００４５】
本発明においてはジ体がｐＨジャンプ系の主要成分であることが希釈溶液のｐＨを８．５以上１０．５未満にするために好適であり、液体洗浄剤中に存在する全ホウ素化合物に対して、ジ体の含有量が７０〜１００モル％であり、モノ体の含有量が０〜５モル％未満であり、そして単独で存在するホウ酸、ホウ砂及び／又はホウ酸塩の含有量が０〜２５モル％未満になるようにすることが好適である。本発明においては（ｆ）成分／（ｅ）成分のモル比（ただし、ホウ砂及び４ホウ酸ナトリウムの場合はホウ素原子を４個含むため、４等量と考える）を、好ましくは１．５〜４、より好ましくは１．５〜２．７、更に好ましくは２〜２．７、特に好ましく、２．２〜２．７に調整することで、優れたｐＨジャンプ効果、並びに過酸化水素及び漂白活性化剤の安定性が得られ得る。
【００４６】
なお、本発明では（ｅ）成分及び（ｆ）成分を液体洗浄剤に配合する場合には、一般に、液体洗浄剤中では上記モノ体、及びジ体の化合物に変換されている。本発明でいう（ｅ）成分の含有量とは、単独、モノ体及びジ体として存在する（ｅ）成分の全含有量を意味する。（ｆ）成分の含有量とは、単独、モノ体及びジ体として存在する（ｆ）成分の全含有量を意味する。本発明の（ｅ）成分の含有量は、優れたｐＨジャンプ効果を達成させるための観点から、液体洗浄剤中においてホウ素原子として０．０５〜１質量％、好ましくは０．１５〜０．５質量％、より好ましくは０．２〜０．４質量％である。（ｆ）成分の含有量は、優れたｐＨジャンプ効果を達成させるための観点から、液体洗浄剤中において３〜３５質量％、好ましくは５〜３０質量％、より好ましくは１０〜２０質量％である。
【００４７】
なお、変換されたモノ体及びジ体の含有量は、ホウ素（11Ｂ）のＮＭＲ分光法とＩＣＰ発光分析法との組合せを用いることで算出することができる。
【００４８】
［その他の成分］
また、本発明では洗浄力向上及び溶液安定性向上の観点から溶剤〔以下（ｇ）成分という〕を含有することが好ましい。（ｇ）成分としては、（ｇ１）炭素数１〜５の１価アルコール、（ｇ２）２〜１２の多価アルコール、（ｇ３）下記の一般式（７）で表される化合物、（ｇ４）下記の一般式（８）で表される化合物が挙げられる。
【００４９】
【化７】
0004732166.tif 000008
【００５０】
〔式中、Ｒ7a及びＲ7bは、それぞれ独立に、水素原子、炭素数１〜６のアルキル基、フェニル基又はベンジル基を示すが、Ｒ7a及びＲ7bの双方が水素原子となる場合を除く。ｊは０〜１０の数を、ｋは０〜１０の数を示すが、ｊ及びｋの双方が０である場合を除く。Ｒ8a及びＲ8bは、それぞれ独立に、炭素数１〜３のアルキル基を示す。〕
【００５１】
（ｇ１）の炭素数１〜５の１価アルコールとしては、一般的にエタノール、プロピルアルコール、イソプロピルアルコール等が挙げられる。これらの低級アルコールを配合することにより低温における系の安定性を更に向上させることができる。
【００５２】
（ｇ２）の炭素数２〜１２の多価アルコールとしては、イソプレングリコール、２，２，４−トリメチル−１，３−ペンタンジオール、１，８−オクタンジオール、１，９−ノナンジオール、エチレングリコール、プロピレングリコール、ジエチレングリコール、ジプロピレングリコール等が挙げられる。これらの中でも、２価のアルコールがより好ましい。
【００５３】
（ｇ３）の化合物は、一般式（７）において、Ｒ7a及びＲ7bが、それぞれアルキル基である場合の炭素数は１〜４が特に好ましい。また、一般式（７）中、エチレンオキシド及びプロピレンオキシドの平均付加モル数のｊ及びｋは、それぞれ０〜１０の数である（ｊ及びｋの双方が０である場合を除く）が、これらの付加順序は特に限定されず、ランダム付加したものであってもよい。（ｇ３）の化合物の具体例としては、エチレングリコールモノブチルエーテル、ジプロピレングリコールジメチルエーテル、ジエチレングリコールモノエチルエーテル、ジエチレングリコールモノブチルエーテル、プロピレングリコールモノメチルエーテル、プロピレングリコールモノブチルエーテル、プロピレングリコールモノエチルエーテル、プロピレングリコールジメチルエーテル、ポリオキシエチレン（ｐ＝２〜３）ポリオキシプロピレン（ｐ＝２〜３）グリコールジメチルエーテル（ｐは平均付加モル数を示す）、ポリオキシエチレン（ｐ＝３）グリコールフェニルエーテル（フェニルトリグリコール）、フェニルカルビトール、フェニルセロソルブ、ベンジルカルビトール等が挙げられる。このうち、洗浄力の点から、プロピレングリコールモノメチルエーテル、ジエチレングリコールモノブチルエーテル（ブチルジグリコール）、又はポリオキシエチレン（ｐ＝１〜４）グリコールモノフェニルエーテルが好ましい。
【００５４】
また、（ｇ４）の化合物としては、１，３−ジメチル−２−イミダゾリジノン、１，３−ジエチル−２−イミダゾリジノンが好適なものとして例示される。
【００５５】
これらのなかでも本発明の性質を満たすために（ｇ１）、（ｇ２）、及び（ｇ３）の溶剤が好ましく、特にエタノール、イソプロピルアルコール、エチレングリコール、プロピレングリコール、ジエチレングリコール、ジプロピレングリコール、イソプレングリコール、プロピレングリコールモノメチルエーテル、プロピレングリコールモノエチルエーテル、ポリオキシエチレン（平均付加モル数１〜３）グリコールモノブチルエーテル、ポリオキシエチレン（平均付加モル数１〜４）グリコールモノフェニルエーテルから選ばれる溶剤が好ましく、さらに好ましくは、ポリオキシエチレン（平均付加モル数１〜３）グリコールモノブチルエーテル、ポリオキシエチレン（平均付加モル数１〜４）グリコールモノフェニルエーテル、又はプロピレングリコールが好適である。
【００５６】
本発明の液体洗浄剤は、（ｇ）成分を好ましくは０．０１〜４０質量％、好ましくは０．１〜３０質量％、さらに好ましく１〜２０質量％含有し得る。
【００５７】
また、本発明では過酸化水素の安定性の点から金属封鎖剤を含有することが好ましく、ホスホン酸基又はホスホン酸塩基を有する化合物〔以下（ｈ）成分という〕がより好ましい。具体的なホスホン酸基又はホスホン酸塩基を有する金属封鎖剤としては、エタン−1,1−ジホスホン酸、エタン−1,1,2−トリホスホン酸、エタン−1−ヒドロキシ−1,1−ジホスホン酸、エタンヒドロキシ−1,1,2−トリホスホン酸、エタン−1,2−ジカルボキシ−1,2−ジホスホン酸、及びメタンヒドロキシホスホン酸から選ばれるホスホン酸又はこれらのアルカリ金属塩もしくはアルカノールアミン塩、２−ホスホノブタン−1,2−ジカルボン酸、１−ホスホノブタン−2,3,4−トリカルボン酸及びα−メチルホスホノコハク酸から選ばれるホスホノカルボン酸又はこれらのアルカリ金属塩もしくはアルカノールアミン塩などを挙げることができ、好ましくはホスホン酸又はこれらのアルカリ金属塩が好適であり、特にエタン−1−ヒドロキシ−1,1−ジホスホン酸又はこれらのアルカリ金属塩が最も好ましい。
【００５８】
本発明では（ｈ）成分の含有量としては、より好ましいｐＨジャンプ効果を得る観点及び過酸化水素の安定性を得る観点から、０．０５質量％以上０．３質量％未満が好ましく、より好ましくは０．１質量％〜０．２５質量％、更に好ましくは０．１５質量％〜０．２質量％の範囲が好適である。
【００５９】
本発明ではホスホン酸系金属封鎖剤以外に、カルボン酸基を有する脂肪酸もしくはその塩、ポリカルボン酸もしくはその塩、アミノポリカルボン酸もしくはその塩、及び／又は高分子系キレート剤〔以下（ｈ’）成分という〕を併用しても良い。ここで本発明でいう脂肪酸又はその塩とは、炭素数１〜１８の飽和又は不飽和脂肪酸又はその塩を意味し、ポリカルボン酸とはクエン酸、コハク酸等の分子中に２つ以上カルボン酸基を有する分子量１０００未満の化合物を意味する。アミノポリカルボン酸又はその塩とはエチレンジアミン四酢酸又はその塩、ニトリロトリ酢酸又はその塩、ジエチレントリアミン五酢酸又はその塩等の、アミノ基に酢酸基又はコハク酸基が結合した化合物である。また、高分子キレート剤としてはアクリル酸、メタクリル酸、マレイン酸、クロトン酸等の重合性不飽和結合を有するカルボン酸化合物を重合させた分子量が１０００以上１０００００以下の化合物である。これらの分子量は、重量平均分子量であり、ＧＰＣ（ゲルパーミエーションクロマトグラフィー）法や光散乱法等の一般的な方法で測定できる。
【００６０】
本発明では上記カルボン酸化合物類のうち、脂肪酸もしくはその塩、ポリカルボン酸もしくはその塩、及び／又はアミノポリカルボン酸もしくはその塩を用いる場合、液体洗浄剤中におけるそれらの合計量としては、０．２質量％未満が好ましく、０．１質量％未満がより好ましい。
【００６１】
本発明の液体洗浄剤は、（ｉ）成分として、（ｃ）成分の非イオン界面活性剤以外の界面活性剤を含有することができる。用いることができる界面活性剤としては、陰イオン界面活性剤、陽イオン界面活性剤、及び／又は両性界面活性剤を挙げることができる。
【００６２】
陰イオン界面活性剤としては、直鎖もしくは分岐鎖のアルキル（炭素数８〜１８）ベンゼンスルホン酸塩、アルキル（炭素数８〜１８）硫酸エステル塩又はアルケニル（炭素数８〜１８）硫酸エステル塩、α−オレフィン（炭素数８〜１８）スルホン酸塩、アルキレンオキシド数平均付加モル数１〜６の、ポリオキシアルキレンアルキルエーテル硫酸塩又はポリオキシアルキレンアルケニルエーテル硫酸塩（アルキル基又はアルケニル基の炭素数８〜１８）、アルカン（炭素数８〜１８）スルホン酸塩、α−スルホ脂肪酸塩（炭素数８〜１８）、α−スルホ脂肪酸エステル塩（好ましくは炭素数８〜１８のα−スルホ脂肪酸と炭素数１〜２のアルコールとのエステル塩）、アルキル（炭素数８〜１８）グリセリルエーテルスルホン酸塩等が挙げられる。これらの陰イオン界面活性剤は単独で使用しても、２種類以上を併用することも可能である。塩としてはナトリウム塩、カリウム塩、マグネシウム塩、カルシウム塩、アルカノールアミン塩、アンモニウム塩などが好適であり、洗浄効果の点からナトリウム塩、カリウム塩、又はマグネシウム塩が好ましい。
【００６３】
陽イオン界面活性剤としては、窒素原子に結合する基のうち、１つ又は２つがエステル基又はアミド基で分断されていてもよい炭素数１０〜１８の炭化水素基であり、残りが炭素数１〜３のアルキル基又はヒドロキシアルキル基である４級アンモニウム塩が挙げられる。この４級アンモニウム塩は、炭素数１〜３のアルキル硫酸エステル塩が好適である。
【００６４】
両性界面活性剤としては下記一般式（９）及び一般式（１０）から選ばれる化合物を含有することが洗浄効果の点から好ましい。
【００６５】
【化８】
0004732166.tif 000009
【００６６】
〔式中、Ｒ9aは炭素数８〜１６、好ましくは１０〜１６、特に好ましくは１０〜１４の直鎖アルキル基又はアルケニル基であり、Ｒ9c及びＲ9dは、それぞれ独立に、炭素数１〜３のアルキル基又はヒドロキシアルキル基であり、好ましくはメチル基、エチル基又はヒドロキシエチル基である。Ｒ9bは炭素数１〜５、好ましくは２又は３のアルキレン基である。Ａは−ＣＯＯ−、−ＣＯＮＨ−、−ＯＣＯ−、−ＮＨＣＯ−及び−Ｏ−から選ばれる基であり、ｃは０又は１の数である。〕
【００６７】
【化９】
0004732166.tif 000010
【００６８】
〔式中、Ｒ10aは炭素数９〜２３、好ましくは９〜１７、特に好ましくは９〜１５のアルキル基又はアルケニル基であり、Ｒ10bは炭素数１〜６、好ましくは２又は３のアルキレン基である。Ｂは−ＣＯＯ−、−ＣＯＮＨ−、−ＯＣＯ−、−ＮＨＣＯ−及び−Ｏ−から選ばれる基であり、ｄは０又は１の数である。Ｒ10c及びＲ10dは、それぞれ独立に、炭素数１〜３のアルキル基又はヒドロキシアルキル基であり、Ｒ10eはヒドロキシ基で置換していてもよい炭素数１〜５、好ましくは１〜３のアルキレン基である。Ｄは−ＣＯＯ-、−ＳＯ3-、−ＯＳＯ3-、から選ばれる基である。〕
【００６９】
本発明では（ｉ）成分の含有量は、液体洗浄剤中に、好ましくは０〜１０質量％、貯蔵時の溶液安定性及び漂白活性化剤安定性の観点から、より好ましくは０〜５質量％、特に好ましくは０〜３質量％である。
【００７０】
本発明では上記（ａ）、（ｂ）、（ｃ）、（ｅ）及び（ｆ）成分、必要であれば（ｇ）、（ｈ）、（ｉ）成分等を（ｄ）成分の水と混合して得ることができ、用いる水は、微量に水に溶解している金属を除去したイオン交換水又は蒸留水が貯蔵安定性の点から好適である。
【００７１】
さらに、本発明では、（ｃ）成分、（ｄ）成分、（ｅ）成分及び（ｆ）成分を混合し、該混合物のｐＨが３〜７、好ましくは３．５〜６．５、特に好ましくは４〜６の母液を調製する工程、該母液に（ａ）成分及び（ｂ）成分を同時又は別個に添加する工程により、液体洗浄剤を調製し得る。上記母液に別個に添加するには、（ａ）成分を先に添加しても良く、（ｂ）成分を先に添加してもよい。更に、同時に添加するには（ａ）成分と（ｂ）成分とを予め混合して、次いで母液に添加してもよいが、漂白活性化剤の安定性の点から（ａ）成分及び（ｂ）成分を別個に同時添加することが、好ましい。また、母液に（ｂ）成分を添加する際に、（ｃ）成分の一部と（ｂ）成分とを予め混合して、この混合物を母液に添加してもよい。更に（ｇ）成分を用いる場合には母液の調製時に他の成分と共に添加してもよい。
【００７２】
本発明の液体洗浄剤は、その使用方法として、該液体洗浄剤を５０〜１５００容積倍の水で希釈し、２０℃〜６０℃、好ましくは２５℃〜４０℃に加温して漂白、洗浄、除菌及び消臭の、少なくともいずれかの効果を得るために用いることができる。より高い漂白、洗浄、除菌及び消臭の、少なくともいずれかの効果を得るために、１００〜１０００容積倍の水で希釈することが、より好ましい。
【００７３】
本発明の液体洗浄剤の２０℃におけるｐＨは、４〜７、好ましくは４．３〜６．５、さらに好ましくは、４．６〜６．５、特に好ましくは５〜６である。このようなｐＨに調整するためのｐＨ調整剤としては塩酸、硫酸などの無機酸、もしくはクエン酸、コハク酸、リンゴ酸、フマル酸、酒石酸、マロン酸、マレイン酸などの有機酸などの酸剤、又は水酸化ナトリウムや水酸化カリウム、アンモニア及びその誘導体、アミン塩（モノエタノールアミン、ジエタノールアミン、トリエタノールアミンなど）、炭酸ナトリウム、炭酸カリウムなどのアルカリ剤を、単独もしくは複合して用いることができる。この中でも特に、塩酸及び硫酸から選ばれる無機酸、又は水酸化ナトリウムや水酸化カリウムから選ばれる無機塩基を用いることが好ましい。
【００７４】
本明細書中において、液体洗浄剤とは、透明状態もしくは半透明状態、又は乳濁状態の液体洗浄剤を意味し、透明もしくは半透明状態である場合は、１相系でも２相以上の多相系（好ましくは２相又は３相、より好ましくは２相）であってもよい。
【００７５】
本発明の液体洗浄剤が多相系から構成される場合、使用前に振とう又は攪拌して均一に混合することにより使用し得る。
【００７６】
本発明の液体洗浄剤は、衣料等の繊維製品の洗濯、中でも洗濯機用の液体洗浄剤として好適に使用することができる。
【実施例】
【００７７】
下記の配合成分を用いて表１に示す液体洗浄剤（本発明品１〜５及び比較品１〜４）を調製し、以下の評価を行った。結果を表１に示す。なお、原液のｐＨ（２０℃）、及び２０℃の水で１０００容積倍希釈した後の液体洗浄剤のｐＨも表１に示す。
【００７８】
（１）貯蔵後の漂白力
液体洗浄剤を、３０℃で１週間貯蔵した後、３°ＤＨ硬水を用いて０．１容量％濃度になる様に希釈し、下記で調製したブドウジュース汚染布４枚をターゴトメーターにて洗浄した（８０ｒｐｍ×１０分）。その後、ブドウジュース汚染布を水道水ですすぎ乾燥させて、下式により漂白率を求めた。
漂白率（％）＝（漂白後の反射率−漂白前の反射率）／（白布の反射率−漂白前の反射率）×１００
反射率は、日本電色工業（株）製ＮＤＲ−１０ＤＰで４６０ｎｍフィルターを使用して測定した。
【００７９】
（ブドウジュース汚染布の調製）
カルピス（株）製ブドウジュース（ウェルチグレープ１００（賞味期限０６０９１５）／内容量８００ｇの瓶）の液に木綿金布＃2003を半日浸した後、布を取りだし、自然乾燥させた。その後６ｃｍ×６ｃｍの試験布として裁断し実験に供した。
【００８０】
（２）貯蔵安定性
（２−１）過酸化水素安定性
貯蔵前及び４０℃１ヶ月後の液体洗浄剤を１／１０Ｎ過マンガン酸カリ溶液により滴定し、有効酸素濃度を測定した。過酸化水素の安定性は次式で求めた。
過酸化水素安定性（％）＝（貯蔵後の有効酸素濃度）／（貯蔵前の有効酸素濃度）×１００
【００８１】
（２−２）漂白活性化剤残存率
貯蔵前及び３０℃１週間後の液体洗浄剤中の漂白活性化剤含有量を高速液体クロマトグラフィーで測定し、下式により漂白活性化剤残存率を求めた。
漂白活性化剤残存率（％）＝（貯蔵後の漂白活性化剤含有量）／（貯蔵前の漂白活性化剤含有量）×１００
【００８２】
＜配合成分＞
表中の各成分としては、以下のものを用いた。
ａ−１；過酸化水素
ｂ−１；デカノイルオキシ−ｐ−ベンゼンカルボン酸
ｂ−２；イソノナノイルオキシ-ｐ-ベンゼンスルホン酸ナトリウム（３，５，５-トリメチルヘキサノイルオキシ-ｐ-ベンゼンスルホン酸ナトリウム）
ｂ−３；ノナノイルオキシ-ｐ-ベンゼンスルホン酸ナトリウム
ｃ−１；ポリオキシエチレンラウリルエーテル（エチレンオキシド平均付加モル数１２）
ｃ−２；Ｃ12Ｈ25Ｏ−（Ｃ2Ｈ4Ｏ）7−（Ｃ3Ｈ6Ｏ）2−（Ｃ2Ｈ4Ｏ）5−Ｈ
ｃ’−１；ラウリルベンゼンスルホン酸ナトリウム
ｃ’−２；ポリオキシエチレンラウリルエーテル硫酸ナトリウム（エチレンオキシド平均付加モル数３）
ｃ’−３；Ｎ-ドデシル-Ｎ，Ｎ，Ｎ-トリメチルアンモニウムメチル硫酸エステル塩
ｄ−１：イオン交換水
ｅ−１；ホウ酸
ｅ−２；４ホウ酸ナトリウム
ｆ−１；ソルビトール
ｆ−２；グルコース
ｆ−３；グリセリン
ｆ−４；ポリアルキルグルコシド、アルキル基の炭素数１２、平均糖縮合度１．５）
ｇ−１；ブチルジグリコール
ｇ―２；フェニルトリグリコール
ｇ−３：プロピレングリコール
ｈ−１：ホスホン酸系金属封鎖剤、デイクエスト２０１０（ソルーシア社製）
【００８３】
【表１】
0004732166.tif 000011
【００８４】
表中、ｐＨは、４８質量％の水酸化ナトリウム水溶液と２０質量％の硫酸水溶液により調整した。
【００８５】
表１の結果より、本発明品１〜５は、いずれも比較品１〜４に比べて、希釈後のｐＨが８を超え、極めて優れた漂白活性化剤安定性を有し、且つ顕著に高い貯蔵後の漂白率を有するものであることがわかる。また、本発明品は、比較品と同等以上の過酸化水素安定性を有することもわかる。